(57)【要約】【課題】より便利に使用でき、コストがより低く、大量生産に向き、お肌によりやさしい、使い捨ておむつ（紙おむつ）用の防漏素材を提供する。【解決手段】この防漏素材は頂層に配置される防漏フィルム層１と、底層に配置される不織布層２とを備え、防漏フィルム層１が不織布層２の表面に部分的に又は全部に結合されてなり、不織布層２に少なくとも一つの貫通孔エリア２１が設置され、貫通孔エリア２１は不織布層２に等間隔に配置され、貫通する複数の貫通孔２１１から形成される。【選択図】図３
0003177971.tif 000002
【実用新案登録請求の範囲】
【請求項１】
頂層に配置される防漏フィルム層と、底層に配置される不織布層とを備え、前記防漏フィルム層が前記不織布層の表面に部分的に又は全部に結合されてなり、
前記不織布層に少なくとも一つの貫通孔エリアが設置され、前記貫通孔エリアは前記不織布層に等間隔に配置され、貫通する複数の貫通孔から形成される、
ことを特徴とする使い捨ておむつ用の防漏素材。
【請求項２】
前記防漏フィルム層と前記不織布層は弾性層又は非弾性層又はその組合せであり、前記防漏フィルム層と前記不織布層は両者の弾性率が同じ又は異なる係数である、ことを特徴とする請求項１に記載の使い捨ておむつ用の防漏素材。
【請求項３】
前記防漏フィルム層は通気性防漏フィルム又は非通気性防漏フィルムのいずれかである、ことを特徴とする請求項１に記載の使い捨ておむつ用の防漏素材。
【請求項４】
前記防漏フィルム層はポリプロピレンフィルム又はポリエチレンフィルム又はポリウレタンフィルム又は生分解性プラスチック製のフィルム又は共重合体によるプラスチック複合材のフィルムのいずれかである、ことを特徴とする請求項１に記載の使い捨ておむつ用の防漏素材。
【請求項５】
前記貫通孔エリアは、前記不織布層において、等間隔の配列若しくは不等間隔の配列に、又は表面全体若しくは表面の一部を覆うようにして、又は不織布層の表面中央部若しくは表面中央部の一部を覆うようにして、又は不織布層の表面中央部に等間隔の配列若しくは不等間隔の配列の、いずれかの形態を呈するように、前記不織布層に配置される、ことを特徴とする請求項１に記載の使い捨ておむつ用の防漏素材。
【請求項６】
前記貫通孔エリアは、イラスト状、又は文字状、又は直方体状、又は正方体状、又は花柄状、又は点状、又は格子状、又は規則的なストライプ状、又は不規則のストライプ状の、いずれかのパターンを呈するように配置される、ことを特徴とする請求項１に記載の使い捨ておむつ用の防漏素材。
【考案の詳細な説明】
【技術分野】
【０００１】
本考案は、紙おむつなどの使い捨ておむつ用の防漏素材に関する。
【背景技術】
【０００２】
おむつは、乳幼児の下半身を覆い、又はベビーベッドに敷いて、尿を吸収するのに用いられる布である。乳幼児が生まれてから排尿や排便を自己の意思で制御できるようになるまでずっと乳幼児と共にあるおむつは、まさに乳幼児の第二層の肌でもある。
【０００３】
おむつの種類は材質により、布おむつと紙おむつに区別される。
布おむつは、値段がより安い、繰り返し使用できる、吸収力及び密着性が良い、過敏な反応やおむつかぶれを引き起こし難いなどのメリットがあり、他面で、洗浄や携帯に便利でないといった欠点がある。
紙おむつは、携帯に便利で洗浄する必要がないといったメリットがあるが、アレルギー肌の乳幼児には常に取り替えが必要であり、使い捨てである。
【０００４】
経済建設や社会文明の発展が進むにつれて、子育ての方法と育児用品が時と共に変わりつつある。かつて、乳幼児に使い捨ておむつ（紙おむつ）を使用することは稀なことであったが、現在に至っては一般的なことである。紙おむつの機能は、実用性と利便性といったメリットがあると同時に、乳幼児の心身の健康や人格の発展にも良いところがある。したがって、科学技術の発展につれて生活水準が向上するとともに、市場での紙おむつの種類も増加しつつある。
【０００５】
従来の紙おむつは、肌に触ると常にべたつき感があり、肌にやさしくないといった問題点が消費者により指摘されていたため、紙おむつに触ったときの不快感を解消し、肌にやさしくない点を改善しようと、図１に示すような、頂層のプラスチックフィルムＡと底層の不織布層Ｂ１とを組み合わせてなる防漏素材が提案された。
【０００６】
本考案者等は、上述の防漏素材を応用して、「係合構造の改良を加えた使い捨ておむつ（紙おむつ）」を完成し、これを特許文献１により開示した。このおむつは、図２に示すように、頂層のプラスチックフィルムＡと底層の粗面を有する不織布層Ｂ２とを組み合わせてなる防漏素材であり、紙おむつを使用者の腰部に固定するように改良を加え、また、コスト又は消耗品の削減、大幅な生産収率、紙おむつの肌へのやさしさの向上を図ったものとなっている。
【先行技術文献】
【特許文献】
【０００７】
【特許文献１】中華民国実用新案登録第M405257号公報「係合構造の改良を加えた使い捨ておむつ（紙おむつ）」／中華民國專利公告M405257號「具有改良式扣接構造之紙尿82」
【考案の概要】
【考案が解決しようとする課題】
【０００８】
しかしながら、上記特許文献１の防漏素材は、肌に優しくて、改良した固定方法により問題点を解決し、同時に、技術的な革新を行い、コスト削減の効果も得たものの、この防漏素材ではまだ最良なものでなく、コスト、消耗品、肌へのやさしさ、固定方法などの点においても、最適な状態に至っておらず、まだ改善の余地がある。
【０００９】
本考案者等は、このような従来の問題点に鑑み、根本に立ち戻って革新的な対策をとり、コストのさらなる低減、消耗品の削減を実現すると同時に、肌によりやさしく、固定方法のより良い使い捨ておむつ（紙おむつ）用の防漏素材を開発することを企図し、本考案を提案するに至った。
そこで、本考案は、上記従来の問題点を解決するものであり、より便利に使用でき、コストがより低く、大量生産に向き、お肌によりやさしい、紙おむつなどの使い捨ておむつ用の防漏素材を提供すること、を目的とする。
【課題を解決するための手段】
【００１０】
上記問題点を解決して、上記目的を達成するために、本考案の使い捨ておむつ用の防漏素材は、防漏素材を備え、前記防漏素材は、頂層に位置する防漏フィルム層と、底層に位置する不織布層とを部分又は全部の表面にて結合され、前記防漏素材において、前記不織布層には少なくとも一つの貫通孔エリアが設置され、前記貫通孔エリアは等間隔に配置される且つ前記不織布層を貫通する複数の貫通孔から形成される、ことを要旨とする。
【００１１】
また、この使い捨ておむつ用の防漏素材は、さらに次のような構成を備えることが好ましい。
（１）前記防漏フィルム層と前記不織布層は、以下のように述べたいずれ又はその組合せであり、弾性層又は非弾性層であり、また、前記防漏フィルム層と前記不織布層は両者の弾性率が同じ又は異なる係数である。
（２）前記防漏フィルム層は、通気性によって区別がつける以下のように述べたいずれであり、通気性防漏フィルム又は非通気性防漏フィルムである。
（３）前記防漏フィルム層は、以下のように述べたいずれであり、ポリプロピレン（PP/Polypropylene）フィルム、ポリエチレン(PE/Polyethylene)フィルム、ポリウレタン(PU/Polyurethane)フィルム、生分解性プラスチック製のフィルム、共重合体によるプラスチック複合材のフィルムである。
（４）前記貫通孔エリアは、等間隔に配列される、又は不等間隔に配列される、又は表面全体を覆う、又は表面の一部を覆う、又は前記不織布層の表面中央部を覆う、又は前記不織布層の表面中央部の一部を覆う、又は等間隔に前記不織布層の表面中央部に配列される、又は不等間隔に前記不織布層の表面中央部に配列される、上述のいずれの形態を呈するように前記不織布層に配置される。
（５）前記貫通孔エリアは、イラスト状、又は文字状、又は直方体状、又は正方体状、又は花柄状、又は点状、又は格子状、又は規則なストライプ状、又は不規則なストライプ状、上述のいずれのパターン（形状、絵柄模様）を呈するように配置される。
【考案の効果】
【００１２】
本考案の使い捨ておむつ用の防漏素材によれば、上記の各構成により、次に列挙する効果が得られる。
（１）本考案では、不織布層の貫通孔エリアを以て、防漏素材の表面をより凸凹するように工夫するため、肌に触る接触面積が小さくなり立体スペースが増加するので、素材と肌との間にある立体スペースの体積が増加する。これにより、着用者の肌への接触感触が良好になり汗を発散させて空気の流通を行う効果が得る。そこで、消費者が本考案の防漏素材による紙おむつに触る場合に、不快感が軽減できるので、まるで織物などの布製おむつ又は綿製おむつに触るように、触り心地が良くて肌によりやさしい、一般的なプラスチック材質に触るべたつき感がなくせるという効果が生じる。
（２）本考案では、不織布層に複数の貫通孔を配置されることによる貫通孔エリアが形成される構造であるため、防漏素材の製造コストの削減、製作プロセスを最適化することが可能である。なぜなら、貫通孔から形成される製品は将来、使用時ループ面(Loop)の材料を用いることなく製作できるためであり、これが全体コストの削減、又は地球資源の消耗の削減につながるので、ある意味での省エネ・エコ対応という効果に達する。
（３）本考案では、不織布層の貫通孔により、防漏素材の表面をより凸凹するように工夫するため、本考案における不織布層がより立体化になるので、フック面（一般的な呼び方：Hook/腰貼り部）に合わせる効果がより良い。これにより、フック面に合わせる従来のループ面（一般的な呼び方：Look/対象エリア）を用いることなく、上述の特許文献１に述べた防漏素材より粘着力があり、フック面に合わせる使用の利便性がある。
【図面の簡単な説明】
【００１３】
【図１】従来の使い捨ておむつ（紙おむつ）用の防漏素材及びその要部を示す断面図
【図２】特許文献１の使い捨ておむつ（紙おむつ）用の防漏素材及びその要部を示す断面図
【図３】本考案の第１の実施の形態に係る使い捨ておむつ（紙おむつ）用の防漏素材を示す斜視図
【図４】同防漏素材の各部の構成を示す分解斜視図
【図５】同防漏素材及びその要部を示す断面図
【図６】同防漏素材の正面図
【図７】同防漏素材及びその要部を示す断面図（図６の断面図）
【図８】本考案の第２の実施の形態に係る使い捨ておむつ（紙おむつ）用の防漏素材を示す正面図
【図９】同防漏素材及びその要部を示す断面図（図８の断面図）
【図１０】本考案の第３の実施の形態に係る使い捨ておむつ（紙おむつ）用の防漏素材を示す正面図
【図１１】同防漏素材及びその要部を示す断面図（図１０の断面図）
【図１２】本考案の第４の実施の形態に係る使い捨ておむつ（紙おむつ）用の防漏素材を示す正面図
【図１３】同防漏素材及びその要部を示す断面図（図１２の断面図）
【図１４】本考案の第５の実施の形態に係る使い捨ておむつ（紙おむつ）用の防漏素材を示す正面図
【図１５】同防漏素材及びその要部を示す断面図（図１４の断面図）
【図１６】本考案の第１の実施の形態に係る防漏素材を用いた使い捨ておむつ（紙おむつ）を示す斜視図
【図１７】同使い捨ておむつ（紙おむつ）の機能を説明するための図
【図１８】本考案の第２の実施の形態に係る防漏素材を用いた使い捨ておむつ（紙おむつ）を示す斜視図
【図１９】同使い捨ておむつ（紙おむつ）の機能を説明するための図
【図２０】本考案の第３の実施の形態に係る防漏素材を用いた使い捨ておむつ（紙おむつ）を示す斜視図
【図２１】同使い捨ておむつ（紙おむつ）の機能を説明するための図
【図２２】本考案の第４の実施の形態に係る防漏素材を用いた使い捨ておむつ（紙おむつ）を示す斜視図
【図２３】同使い捨ておむつ（紙おむつ）の機能を説明するための図
【図２４】本考案の第５の実施の形態に係る防漏素材を用いた使い捨ておむつ（紙おむつ）を示す斜視図
【図２５】同使い捨ておむつ（紙おむつ）の機能を説明するための図
【考案を実施するための形態】
【００１４】
次に、この考案を実施するための形態について、図面を参照して詳細に説明する。
図３は本考案の第１の実施の形態に係る使い捨ておむつ（紙おむつ）用の防漏素材を示す斜視図、図４は同防漏素材の各部の構成を示す分解斜視図、図５は同防漏素材及びその要部を示す断面図、図６は同防漏素材の正面図、図７は同防漏素材及びその要部を示す断面図（図６の断面図）である。
【００１５】
図３乃至図７に示すように、この使い捨ておむつ（紙おむつ）用の防漏素材は、防漏素材１００を備えて構成される。
防漏素材１００は、頂層に配置される防漏フィルム層１と、底層に配置される不織布層２とを備え、防漏フィルム層１が不織布層２の表面に部分的に又は全部に結合されてなる。また、防漏素材１００には、不織布層２に少なくとも一つの貫通孔エリア２１が設置され、貫通孔エリア２１は不織布層２に等間隔に配置され、貫通する複数の貫通孔２１１から形成される。
【００１６】
この防漏素材を紙おむつに用い、このおむつを乳幼児が着用した場合、紙おむつの最外層、すなわち不織布層２に、貫通孔エリア２１が設けられて貫通孔２１１が配置されることにより、不織布層２がより立体的になるように凸凹形状をなす。肌に触るときに立体スペースの接触面積が小さくなるので、素材と肌との間にある立体スペースの体積が増加する。これにより、着用者の肌への接触感触が良好になり、まるで織物などに触るような触り心地を呈することができ、また、汗を発散させて空気の流通を行う効果が得られる。消費者がこのおむつを着用する乳幼児を抱くとき、又は成人が着用する場合でも、触り心地がより良く、肌全体への優しさは（従来のものに比べて）増大する。従来のプラスチックの材質に触るときのような一般的なべたつき感はなく、不織布層２そのままの快適な装着感と柔らかな触感が得られる。
【００１７】
また、不織布層２に貫通孔エリア２１（貫通孔２１１）が設けられることにより、上述の触感向上の効果の他に、不織布層２の強度と防漏フィルム層１との間の互いの保持力（Holding Power）がさらに高められるという効果がある。さらに、この構造をとることにより、外観美観は向上するうえ、このプロセスを通じて不織布層２とフック面との接触面積が増加することにより接合強度が高められる。これは、貫通孔２１１を有する不織布層２が構造的にフックループ固定部品とほぼ同じであるためで、再利用率を高めることができ、フックループ固定部品を用いる必要がなくなる。
【００１８】
不織布層２に複数の貫通孔２１１を設けることについてさらに言えば、生産プロセスでは一般的に針により穴を開けるだけなので、貫通孔２１１の数及び表示方式を調整する場合、針の設置方法を変えるだけで十分である。そこで、生産プロセスでの消費する資源というと、紙おむつを大量生産する場合、従来のループ面（Loop）を有する材料を用いる必要がなくなり、製造機には一つの材料が減少するため、生産効率の向上、生産材料のコストの削減、生産収率の向上、全体的なコストダウン、地球資源の消耗の軽減につながり、ある意味での省エネ・エコ対応ということになり、その効果は顕著である。
【００１９】
また、乳児は膀胱機能が完全に発達していないので、排尿を長く我慢できないため、紙おむつの取り替えを必要とする回数が多い。例えば、一般的には３０分毎に１回、又は１日に４回というのが普通であり、初めの１日に６回乃至７回から、乳児の成長につれて徐々に１日に４回に変わっていくが、紙おむつの使用量は非常に多い。そのため、防漏素材１００を有する紙おむつを使用した場合、その機能的な利便性の他に、生産コストをより低く抑え、製品の値段の下げることができるので、消費者の負担の軽減につながり、消費者の使用しようとする意欲を刺激することができるという効果が生じる。
【００２０】
この防漏素材１００は、防漏フィルム層１と不織布層２が、弾性層又は非弾性層又はその組み合わせからなり、防漏フィルム層１と不織布層２は両者の弾性率が同じ係数又は異なる係数又はその組み合わせである。
このようにすることにより、乳幼児が着用時の不快感を軽減できる他に、乳幼児の身体にぴったりフィットし、乳幼児の動きを妨げないという効果が得られる。
また、他の利点として、最も大切なのは、十分な密着性が得られるので、乳幼児又は成人が活動するうちに紙おむつの位置ずれや脱落などの問題を避けることができ、自由自在に身体を動かしても身体にぴったりフィットする。これにより、紙おむつの機能性が向上し、期待に違わぬ効果に達するほかに、着用時の肌への刺激を大幅に軽減できる。
【００２１】
また、防漏フィルム層１は通気性防漏フィルム又は非通気性防漏フィルムであり、通気性の有無の区別がある。
防漏フィルム層１を通気性防漏フィルムとするか非通気性防漏フィルムとするかの選択は紙おむつの特性によって決められる。
通気性防漏フィルムを使用した場合、おむつの通気性を高めることができるので、従来よりも軽量で通気性がよくなる。したがって、消費者が、乳幼児の肌の質や夏の気候の特徴に応じて、最適な紙おむつを選ぶことで、おむつかぶれや過敏症の発症率を下げることができる。
非通気性防漏フィルムを使用した場合は、最適な防水性能を備えることができ、尿液の後漏れの可能性をさらに下げることができる。
【００２２】
また、防漏フィルム層１はポリプロピレンフィルム、又はポリエチレンフィルム、又はポリウレタンフィルム、又は生分解性プラスチック製のフィルム、又は共重合体によるプラスチック複合材のフィルムのいずれかである。
防漏フィルム層１を選択するには紙おむつの特性によって決まるが、材料の積層を選択するには、当該紙おむつの応用における需要によって決まる。
【００２３】
図８、図１０、図１２、図１４はそれぞれ本考案の第２、３、４、５の実施の形態に係る使い捨ておむつ（紙おむつ）用の防漏素材を示す正面図、図９、図１１、図１３、図１５はそれぞれ図８、図１０、図１２、図１４のおむつの要部を拡大して示す断面図である。
これらの図に示すように、貫通孔エリア２１は、不織布層２において、等間隔の配列又は不等間隔の配列に、また、表面全体又は表面の一部を覆うようにして、また、不織布層２の表面中央部又は表面中央部の一部を覆うようにして、また、不織布層２の表面中央部に等間隔の配列又は不等間隔の配列に、のいずれかの形態を呈するように、不織布層２に配置される。
このように貫通孔エリア２１の配置位置を変えることにより、防漏素材１００を紙おむつに適用する場合に、消費者に多様な選択肢を提供することができ、また、異なる種類の紙おむつに対応して適用することが可能である。例えば、大人用紙おむつ、又は乳幼児用紙おむつなどに防漏素材１００にて効果的に対応できる。
また、貫通孔エリア２１は、イラスト状、又は文字状、又は直方体状、又は正方体状、又は花柄状、又は点状、又は格子状、又は規則的なストライプ状、又は不規則のストライプ状、のいずれかのパターン（形状、絵柄模様）を呈するように配置される。
このように異なるパターンの貫通孔エリア２１を用いることにより美観を向上させることができ、消費者の選択肢が多様化され、異なる紙おむつに合わせて適用することが可能で、防漏素材１００の適用範囲がより周到である。
【００２４】
図１６、図１７は本考案の第１の実施の形態に係る防漏素材を用いた使い捨ておむつ（紙おむつ）を示す斜視図、図１８、図１９は本考案の第２の実施の形態に係る防漏素材を用いた使い捨ておむつ（紙おむつ）を示す斜視図、図２０、図２１は本考案の第３の実施の形態に係る防漏素材を用いた使い捨ておむつ（紙おむつ）を示す斜視図、図２２、２３は本考案の第４の実施の形態に係る防漏素材を用いた使い捨ておむつ（紙おむつ）を示す斜視図、図２４、２５は本考案の第５の実施の形態に係る防漏素材を用いた使い捨ておむつ（紙おむつ）を示す斜視図である。
これらの図に示す、第１乃至第５の実施の形態のように、防漏素材１００を紙おむつ３００に適用することにより、全体として、コスト又は地球資源の消耗を削減できる他、消費者の使用時における優れた利便性がある。また、乳幼児の肌にべたつく心配がなく、繰り返し貼着できるので、消費者が容易に検査できる。なお、保湿クリーム又は水に付けても、防漏素材１００とループ面４００とを組み合わせることにより、これらを貼着して固定する働きをすることが可能である。
また、この防漏素材１００の貫通孔エリア２１により、消費者が防漏素材１００の表面に触れてみると、不快感が大幅に軽減されていて、まるで布製おむつ又は綿製おむつに触れるように、触り心地が良くて肌によりやさしいという効果がある。
【００２５】
また、防漏素材１００とループ面４００を組み合わせることにより、使用では従来の紙おむつよりずっと便利であるが、従来の紙おむつの使用には長い歴史があるため、消費者をより便利に使用できるように使用習慣を継続し続けさせるために、本考案では表面に色彩パターン、商標図案、又は豊富な配色パターンで設計した図案を増加できる他、防漏素材１００に予め対象エリア５００の図案を印刷することにより、ループ面４００と入れ替わった元のエリアを取り替えることが可能である。
もちろん、全体の需要とコストを考慮して上述の各種図案を印刷しなくても良いが、貫通孔エリア２１の応用により、対象エリア５００を標示する効果にも達する。
なお、対象エリア５００を設置することにより、消費者の使用習慣を継続し続けさせるために図案設計の作成が可能であるほかに、消費者がループ面の設置されてない点から、本考案の防漏素材１００を応用する紙おむつを欠陥製品と誤解するのを避けることもできる。
【００２６】
以上、各実施の形態から明らかなように、本考案では、防漏フィルム層１と不織布層２を組み合わせ、さらに貫通孔エリア２１の応用を加えることにより、従来の紙おむつ、又は特許文献１に述べた紙おむつより、コストが低い、生産収率が高い、また、資源節約といった効果が生じるので、消費者にとってはより容易に使用でき、製造会社にとっては本考案がより応用性、実用性、効果性、産業上の利用性を有する。
【００２７】
以上の各実施の形態は、本考案の構造と、特徴及び作用効果を説明するために用いられるものであり、新規性や進歩性といった要件を満たしているため、法律の規定による実用新案登録出願を行い、また、上述では本考案の好ましい実施例を開示したに過ぎず、それを以って、本考案の実用新案登録請求の範囲が制限されることは無く、本考案の思想を逸脱することない種々の改造やそれと同じ置き換えを行っても、それはすべて本考案の範囲に含まれるものである。
【符号の説明】
【００２８】
１  防漏フィルム層
２  不織布層
２１  貫通孔エリア
２１１  貫通孔
１００  防漏素材
２００  肌
３００  使い捨ておむつ（紙おむつ）
４００  フック面
５００  対象エリア
Ａ  プラスチック層
Ｂ１  不織布層
Ｂ２  粗面を有する不織布層
【図１】
0003177971.tif 000003
【図２】
0003177971.tif 000004
【図３】
0003177971.tif 000005
【図４】
0003177971.tif 000006
【図５】
0003177971.tif 000007
【図６】
0003177971.tif 000008
【図７】
0003177971.tif 000009
【図８】
0003177971.tif 000010
【図９】
0003177971.tif 000011
【図１０】
0003177971.tif 000012
【図１１】
0003177971.tif 000013
【図１２】
0003177971.tif 000014
【図１３】
0003177971.tif 000015
【図１４】
0003177971.tif 000016
【図１５】
0003177971.tif 000017
【図１６】
0003177971.tif 000018
【図１７】
0003177971.tif 000019
【図１８】
0003177971.tif 000020
【図１９】
0003177971.tif 000021
【図２０】
0003177971.tif 000022
【図２１】
0003177971.tif 000023
【図２２】
0003177971.tif 000024
【図２３】
0003177971.tif 000025
【図２４】
0003177971.tif 000026
【図２５】
0003177971.tif 000027